(57)【要約】【課題】  衣服内部に空間を形成して衣服の乾きを促進する時、袋状物などを開口状態のまま保持してゴミ袋として用いる時、あるいはそれ以外の様々な用途へ転用できる新規物品を提供する。【解決手段】  衣服、袋状物その他の対象物に空間を形成するための物品であって、その一部において連結されている一対の空間形成部１１,１２を備え、該空間形成部１１,１２は相互に連結状態を保持したままで、一対の空間形成部１１,１２が互いに近接して扁平な状態を形成する第一形態と、連結部１３を頂点として側方視ハの字状をなすように広がって離間する第二形態と、が自在に選択可能とされた物品を提供する。【選択図】  図２
2006262936.tif 000002
【特許請求の範囲】
【請求項１】
対象物に空間を形成し保持するための物品であって、
一部において連結されている一対の空間形成部を備え、
一対の空間形成部が互いに近接して扁平な状態を形成する第一形態と、
前記空間形成部は相互に連結状態を保持したままで、連結部を頂点として側方視ハの字状をなすように広がって離間する第二形態と、
が自在に選択可能とされた物品。
【請求項２】
前記連結部に挟持又は固定されたフック部を備え、
前記空間形成部が衣服内へ挿入されて前記第二形態をとったときに、該衣服を広げて空間を形成する構成となることを特徴とする請求項１記載の物品。
【請求項３】
前記空間形成部、前記連結部、前記フック部がそれぞれ別体に形成されており、これらを組み立てたときに、前記第一形態及び第二形態をとることが可能とされた請求項２記載の物品。
【請求項４】
前記衣服が濡れた状態であるときに、前記空間によって衣服の乾燥が促進されることを特徴とする請求項２又は３に記載の物品。
【請求項５】
前記空間形成部が袋状物に挿入されて前記第二形態をとったときに、該袋状物を開口したまま保持する構成となることを特徴とする請求項１記載の物品。
【請求項６】
前記連結部は、各空間形成部の基端部位を回動自在に保持する支持部位を備えるとともに、前記第二形態のときの空間形成部間の広がり角を規定する角度となる頂角を有する側方視三角形状をなすことを特徴とする請求項１記載の物品。
【発明の詳細な説明】
【技術分野】
【０００１】
本発明は、様々な対象物の内部や開口部を拡げて、より大きな空間を形成するための物品に関する。より詳しくは、主に、衣服内部に挿入して空間を形成したり、袋状物などを開口状態のまま保持したりする時に用いることができる物品に関する。
【背景技術】
【０００２】
洗濯が終わって濡れた状態の衣服は、ハンガーで吊るし掛けされた状態で乾燥されることが多い。しかし、このような状態では、衣服が密着して扁平な状態になっているので、衣服内部への風通しが悪く、乾燥に時間がかかる。
【０００３】
このような問題を考慮して案出された先行技術として、次のものがある。まず、特許文献１には、洗濯された衣服の両袖を水平に展開して吊り下げることができる洗濯物用ハンガー部が開示されている。特許文献２には、洗濯衣服との接触面積が小さいスパイラル構造の骨格を有するハンガーが開示されている。特許文献３には、蛇行する湾曲部によって風通しを良くした乾燥用ハンガーが開示されている。特許文献４には、衣類を広げて空気の流通をよくし乾燥効果を高めるハンガーであって、ハンガー本体に回転可能に設けられた補助ハンガーを備える構成が開示されている。
【０００４】
また、日常の生活において、袋状物を開口状態で保持させたまま使用したい場面がある。例えば、ビニール袋や紙袋などをゴミ袋へ転用する場合では、常に袋が開口していた方が、ゴミを捨て易く便利で、機能的である。
【０００５】
このような観点から案出された先行技術として、次のものがある。特許文献５は、ゴミ袋の内面を押圧するための複数の腕部を持ち、ゴミ袋を開口状態で保形する装置が開示されている。特許文献６には、ごみ袋の開口部を開閉自在に保持できる補助具が開示されている。
【特許文献１】特開２００２−２２２４４９３号公報。
【特許文献２】特開２００４−１８８１４０号公報。
【特許文献３】特開２００４−０１６５３５号公報。
【特許文献４】特開２００４−２７５５５６０号公報。
【特許文献５】特開２００３−３２７３０１号公報。
【特許文献６】特開平１０−１７５７０２号公報。
【発明の開示】
【発明が解決しようとする課題】
【０００６】
本発明は、衣服内部に空間を形成して衣服の乾きを促進する用途、袋状物などを開口状態のまま保持してゴミ袋として用いる時、あるいはそれ以外の様々な用途へ転用できる、便利な新規物品を提供することを主な目的とする。
【課題を解決するための手段】
【０００７】
まず、本発明は、何らかの対象物に空間を形成して保持するときに有用な物品を提供する。具体的には、一部において連結されている一対の空間形成部を備えている。そして、一対の空間形成部が互いに近接して扁平な状態を形成する第一形態と、前記空間形成部が相互に連結状態を保持したままで、連結部を頂点として側方視ハの字状をなすように広がって離間する第二形態と、を自在に選択可能とされている。
【０００８】
この物品を衣類用のハンガーとして利用する場合は、前記連結部に挟持又は固定されたフック部を設けておき、前記空間形成部が衣服内へ挿入されて前記第二形態をとったときに、該衣服を広げて空間を形成する構成となるようにする。
【０００９】
このとき、前記空間形成部、前記連結部、前記フック部が、それぞれ別体に形成されており、これを組み立てたときに、前記第一形態及び第二形態をとることができるようにしてもよい。あるいは、これらの各部材を分解できない、一体物として形成するのは自由である。
【００１０】
このようなハンガー用途では、本物品は、例えば、衣服が濡れた状態であるときに、空間形成部によって広げられてできた空間は、衣服の乾燥を促進させる。
【００１１】
また、本物品は、袋状物の開口部を保持する目的で使用することもできる。即ち、前記空間形成部が袋状物に挿入されて前記第二形態をとったときに、該袋状物を開口したままで保持することができる。ビニール袋や紙袋などの袋状物をゴミ袋として利用するときに便利である。
【００１２】
本物品の連結部は、特に限定はされないが、例えば、各空間形成部の基端部位を回動自在に保持する支持部位を備えるとともに、前記第二形態のときの空間形成部間の広がり角を規定する角度となる頂角を有する側方視三角形状をなす形態構成を採用できる。
【発明の効果】
【００１３】
本発明は、袋状や筒状などの形態を有する様々な対象物を広げて空間を形成することができる。例えば、衣服内部に空間を形成して衣服の乾きを促進することができる。あるいは、袋状物などを開口状態のまま保持してゴミ袋として用いることができる。あるいは、それ以外の様々な用途へ転用することもできる便利な物品である。使用しないときなどは、嵩張らない扁平な状態で収納等することもできる。
【発明を実施するための最良の形態】
【００１４】
以下、本発明の好適な実施形態について説明する。なお、以下に説明する実施形態により、本発明が狭く限定されることはない。
【００１５】
まず、図１は、本発明に係る物品の第１実施形態の外観斜視図である。
【００１６】
この図１に示された本物品１ａは、それぞれが略三角形状の枠体をなしている一対の空間形成部１１,１２と、この空間形成部１１,１２の上方に延びる各腕部１１１，１２１の上端部位を回転可能に支持して連結する連結部１３と、該連結部１３から上方に突出するフック部１４と、から構成されている。
【００１７】
これらの構成部材に関する形状については、図示されたものはあくまでその一例であって、目的や用途によって自由に設計、変形でき、また、これらの構成部材の材料の選択も自由であって、例えば、金属、合成樹脂、木などから形成することができる（以下、同様）。
【００１８】
この物品１ａは、図２に示されているように、一対の空間形成部１１，１２が互いに近接して扁平な状態を形成する第一形態（図２のＡ参照）と、空間形成部１１，１２が相互に連結状態を保持したままで、連結部１３を頂点として側方視ハの字状をなすように広がって離間する第二形態（図２のＢ参照）と、を自由に選択することができる。
【００１９】
本実施形態では、空間形成部１１，１２が、連結部１３で支持されながらバタフライ様の動きで変化するが、この形状変化のし方は、図２に示された構成に特に限定はされない。
【００２０】
本物品１ａが使用されるとき、一般には、扁平な第一形態（図２Ａ）は嵩張らないので、複数の本物品１ａを重ねて収納しておくときなどに適する形態であり、一方、第二形態（図２Ｂ）は、衣服や袋などの対象物に挿入された衣服を広げたままで保持したり、袋状物に挿入されてその開口部を開口状態で保持したりするときなどに適する形態である。
【００２１】
図３は、第１実施形態である物品１ａの連結部１３及びフック部１４周辺の拡大斜視図である。図４は、同周辺を側方から視た図である。
【００２２】
連結部１３は、例えば、矩形状の板材を折り曲げて略三角柱状とされたものを採用でき、その頂点部１３３において開口可能な構成とされている。また、連結部１３の傾斜する左右両側面１３４，１３５のそれぞれの上端部位には、外側に巻くようにカールされて内部空洞を有する形状に加工された支持部１３１，１３２が形成されている。
【００２３】
連結部１３の前記支持部１３１，１３２には、空間形成部１１，１２の各腕部１１１，１２１の各先端部位にＬ字状に屈曲形成されている基端部１１１１,１２１１が、それぞれ緩く挿通された状態で回転可能に支持されている。これにより、空間形成部１１,１２は、図２に示すような動きが可能となる。
【００２４】
また、物品１ａの空間形成部１１,１２の上方に位置する腕部１１１,１２１は、連結部１３の傾斜する側面１３４,１３５に沿ってハの字状に広がって下方へ延び、図１や図２のＢに示すような第二形態をとることができる。
【００２５】
ここで、図４を参照するとわかるように、連結部１３を側方から視たときには、略三角形状に観察される。該連結部１３の頂点部１３３に形成される頂角αは、空間形成部１１,１２がハの字状に広がるときの（即ち、第二形態のときの）広がり角βを規定することになる。なお、連結部１３の頂角αの大きさは、物品１ａの目的や用途に応じて適宜決定すればよい。
【００２６】
続いて、図５は、本発明に係る物品１ａのすべての構成部品が分解された状態を示す図である。
【００２７】
本物品１ａは、そのすべての構成部品が固定されて一体とされた構成であってもよいが、この図５に示すように、そのすべての構成物品、即ち、空間形成部１１,１２、連結部１３、フック部１４をばらばらにとりはずすことができる構成を採用してもよい。
【００２８】
この分解可能な構成は、旅行などの外出時の持ち運び時などに嵩張らないので便利である。また、それぞれの構成部品を目的にあった形状の部品に入れ替えたりすることもできるので便利である。
【００２９】
図６は、連結部１３に対して脱着自在な構成とされたフック部１４の形態を示す図である。
【００３０】
まず、物品１ａで採用されている連結部１３は、可撓性を有する合成樹脂や薄肉の金属板で形成することによって、図６Ａ、Ｂに示すように、頂点部１３３部分が開口する形態（図６Ａ）と、閉じた状態（図６Ｂ）の両方をとることができる。
【００３１】
連結部１３の頂点部１３３を開いた状態（図６Ａ参照）で、上方側からその開口部１３６へ向けてフック部１４の基軸部１４１を挿し入れ、その後、頂点部１３３を閉じた状態に変化させ、該頂点部１３３にて該基軸部１４１を挟持させることによって、フック部１４を連結部１３に固定することができる。
【００３２】
または、図７に示すような変形形態のように、フック部１５の基軸部が二股に分かれる形状を採用することができる。この場合では、各基軸部１５１,１５２の先端部にＬ字状に屈曲形成されている基端部１５１１,１５２１を、連結部１３の内側空洞部に対して、一旦広げてから挿し入れることにより、フック部１５を連結部１３に脱着自在に取り付けることができる。
【００３３】
あるいは、図８に示す別の変形形態のように、フック部１６と連結部１３とを一体に形成することで、連結部１３からフック部１６が取り外しできない構成を採用することも自由である。この構成では、連結部１３は中実体であってもよい。
【００３４】
ここで、図９は、本発明に係る物品の第２実施形態の外観斜視図である。
【００３５】
図９に示された物品１ｂは、空間形成部１７,１８の形状が、図１に示す第１実施形態の物品１ａと、特に異なっている。このような空間形成部１７,１８は、下方に長く延びる略矩形状をなしているため、例えば、洗濯されたズボンやスラックスのような長筒状の衣服の内部へ挿し入れて空間を形成して、乾かす場合、あるいは底の深い袋に挿し入れてその開口部を保持する場合などに有用である。なお、本物品１ｂでは、上述した符号１５に示すフック部が採用されているが、図６や図８に示したようなフック形態を採用するのは自由である。
【００３６】
図１０は、本発明に係る物品の第３実施形態の外観斜視図である。
【００３７】
この図１０に示された物品１ｃは、空間形成部１９,２０の形状が図１に示すような物品１ａや図９の物品１ｂと、特に異なっている。このような形状の空間形成部１９,２０は、団扇様をなす形状をなしているので、例えば、子供用のシャツのような短筒状の衣服内部に空間を形成して乾かす場合、あるいは底が浅い袋に挿し入れてその開口部を保持する場合などに有用である。なお、本物品１ｃでは、上述した符号１５に示すフック部が採用されているが、図６や図８に示したようなフック形態を採用するのは自由である。
【００３８】
図１１は、本発明に係る物品の第４実施形態の外観斜視図である。
【００３９】
この図１１に示された物品１ｄは、図１に示された物品１ａの空間形成部１１，１２と比較してより扁平で、底辺が長い略三角形状に形成された一対の空間形成部２１、２２が設けられている。このような構成では、図１１中に仮想線で表されたような幅広のタオルＴなどを、空間形成部２１、２２の両底辺部分２１１，２２１にまたがるようにかけて、乾かすときに用いることもできる。
【００４０】
図１２は、本発明に係る物品の第５実施形態の外観斜視図である。
【００４１】
図１２で示す物品１ｅはでは、カタカナ「コ」の字を下向きにした如きの一対の空間形成部２３，２４が設けられている。このような構成の物品１ｅは、一対の空間形成部２３，２４を、仮想線で示すズボンＺの腰部開口部から挿し込み、空間形成部２３の上辺２３１部位に設けてあるクリップ２５，２５と空間形成部２４の上辺２４１部位に設けてあるクリップ２６，２６によってズボンＺの上辺部位を挟持させるようにして用いることができる。
【００４２】
この物品１ｅのクリップ２５，２６は、その他の実施形態においても、目的や用途に応じて採用してもよい。クリップ２５，２６によって、衣服や袋状物を空間形成部に固定保持できるので、便利である。特に、野外に衣服を干す場合などに本物品を用いるときは、風によって衣服がはずれて落ちたり、飛ばされたりすることがなくなるので、便利である。
【００４３】
図１３は、本発明に係る物品の第６実施形態の外観斜視図である。
【００４４】
この図１３に示された物品１ｆは、その空間形成部２７、２８が、図示されているように、網目又はネット状の形態をなしているのが特徴である。その他の構成は、図１に示す物品１ａと同様の構成である。網目又はネット状の形態をなす空間形成部２７，２８は風通しがよく、強度面では物品１ａのような枠体からなる空間形成部１１，１２よりも上回る。
【００４５】
図１４は、本発明に係る物品の第７実施形態の外観斜視図である。
【００４６】
この図１４に示された物品１ｇは、その空間形成部２３、２４が、図示されているように、板状の形態をなしているのが特徴である。その他の構成は、図１に示す物品１ａと同様の構成である。板状の空間形成部２９，３０は風通しはよくないが、強度面では物品１ｆのような網目又はネット状の空間形成部２７，２８よりも上回る。
【００４７】
続いて、図１５は、本発明に係る物品をハンガーとして用いる時の一使用例を示す図である。
【００４８】
この図１５に示された使用例では、連結部１３からフック部１４（又はフック部１５）が取り外されて用いられている。具体的には、連結部１３の内部空洞部１３６に対して、物干し竿などの棒材１７が直接挿し入れられ、そのまま垂れ下がっている状態で使用されている。
【００４９】
このように、連結部１３自体を、フック部１４（１５）に替わる取り付け部として用いることも可能である。なお、このような使用は、図９〜図１２に示された物品１ｂ〜１ｇでも可能である。
【００５０】
図１６は、本発明に係る物品を物干しハンガーとして使用する時の典型的な使用例を示す図である。
【００５１】
図１に示された物品１ａを代表例として説明すると、空間形成部１１,１２を、洗濯されて濡れている衣服３１の首部開口部３２、あるいはその胴部３３下方の開口部３４などから挿し入れ、フック部１４を首部開口部３２から露出させて、物干し竿などの棒材１７に引っ掛け、そのまま衣服３１を吊るすことができる。
【００５２】
このとき、衣服３１の内部には、ハの字状に広がった空間形成部１１,１２によって空間が形成されるので、衣服３１の内部への空気１８の流通が良くなり、乾きが促進されるという効果が発揮される。
【００５３】
図１７は、本発明に係る物品を袋状物の開口保持具として使用する時の典型的な使用例を示す図である。
【００５４】
新たに図１７に示された物品１ｈを代表例として説明すると、略四角形の枠体からなる空間形成部３４,３５を紙袋やビニール袋などの袋状物３６の開口部３７から挿し入れる。このとき、ハの字状に広がった空間形成部３４,３５によって開口部３７が開口したままで保持される。
【００５５】
また、本物品１ｈにおいても、図１２の物品１ｅ同様に、空間形成部３４,３５の各上辺３４１，３５１に対してクリップ２５，２６を設けておいて、これにより袋状物３６の開口部３７の上辺部位を挟持させて固定できるようにしてもよい。
【００５６】
このような用途では、袋状物３６から物を取り出したり、袋状物３６へ物を入れたりするときに便利である。例えば、袋状物３６をゴミ袋として使用するときでは、都度袋を開口させる作業が不要となるので、便利である。
【００５７】
以上説明した物品１ａ〜１ｈは、洗濯されて濡れた衣服３１を早く乾かすときの物干しハンガーとして、あるいは袋状物３６の開口部３７を開口状態で保持するときの開口部保持具として特に有用であるが、その用途は、特に限定されない。
【産業上の利用可能性】
【００５８】
本発明は、対象物に空間を形成したり、該対象物の開口部を開口状態のままで保持したりするときの物品として利用できる。例えば、濡れた衣服の乾きを促進するための物干しハンガーとして、あるいは、袋状物の開口を保持するための物品として利用できる。
【図面の簡単な説明】
【００５９】
【図１】本発明に係る物品の第１実施形態の外観斜視図である。
【図２】同第１実施形態の形状変化の様子を示す図である。
【図３】同第１実施形態のフック部及び連結部周辺の拡大斜視図である。
【図４】同周辺を側方から視た図である。
【図５】本発明に係る物品の第１実施形態のすべての部品が分解された状態を示す図である。
【図６】連結部に対して脱着自在な構成とされたフック部の形態を示す図である。
【図７】連結部に対して脱着自在な構成とされたフック部の他の変形実施形態を示す図である。
【図８】フック部のさらに別の変形実施形態であって、連結部と一体に形成された構成のフック部の斜視図である。
【図９】本発明に係る物品の第２実施形態の外観斜視図である。
【図１０】本発明に係る物品の第３実施形態の外観斜視図である。
【図１１】本発明に係る物品の第４実施形態の外観斜視図である。
【図１２】本発明に係る物品の第５実施形態の外観斜視図である。
【図１３】本発明に係る物品の第６実施形態の外観斜視図である。
【図１４】本発明に係る物品の第７実施形態の外観斜視図である。
【図１５】本発明に係る物品をハンガーとして用いる時の一使用例を示す図である。
【図１６】本発明に係る物品を物干しハンガーとして使用する時の典型的な使用例を示す図である。
【図１７】本発明に係る物品を袋状物の開口保持具として使用する時の典型的な使用例を示す図である。
【符号の説明】
【００６０】
１ａ〜１ｈ  本発明に係る物品
１１,１２、１７,１８、１９,２０、２１,２２、２３,２４、２７，２８、２９，３０、３４，３５  空間形成部
１３  連結部
１４,１５  フック部
３１  衣服
３６  袋状物
３７  袋状物の開口部
α  頂角
β  広がり角
【図１】
2006262936.tif 000003
【図２】
2006262936.tif 000004
【図３】
2006262936.tif 000005
【図４】
2006262936.tif 000006
【図５】
2006262936.tif 000007
【図６】
2006262936.tif 000008
【図７】
2006262936.tif 000009
【図８】
2006262936.tif 000010
【図９】
2006262936.tif 000011
【図１０】
2006262936.tif 000012
【図１１】
2006262936.tif 000013
【図１２】
2006262936.tif 000014
【図１３】
2006262936.tif 000015
【図１４】
2006262936.tif 000016
【図１５】
2006262936.tif 000017
【図１６】
2006262936.tif 000018
【図１７】
2006262936.tif 000019